(57)【要約】【課題】濃度むらや色むらのない照明，読み取りを可能にし、良好な画像読取あるいは画像形成に寄与する光源を提供する。【解決手段】導光板１８により、各ＬＥＤ１２，１３，１４から出射し、かつ反射板１５，１６，１７にて反射された光束１２ａ，１３ａ，１４ａをコンタクトガラス１１方向へ導く。導光板１８には、光束１２ａ，１３ａ，１４ａをコンタクトガラス１１上の原稿面に集光して重畳させるために、各ＬＥＤ１２，１３，１４の光出射部ごとにそれぞれ対応する複数の光入射面１８ａ，１８ｂ，１８ｃを、隣接するものどうしが互いに角度を有するように形成する。【選択図】図２
2008116527.tif 000002
【特許請求の範囲】
【請求項１】
複数の光源から出射した光を導光部材内を通して導くことにより被照明面を照射する光源ユニットにおいて、前記導光部材に、前記各出射光が被照射面上にて重畳して照射するように、前記各光源の光出射部ごとにそれぞれ対応する異なる光入射面を形成したことを特徴とする光源ユニット。
【請求項２】
前記導光部材の前記各光入射面が互いに角度をもって形成されていることを特徴とする請求項１記載の光源ユニット。
【請求項３】
前記複数の光源が、赤色光出射光源，緑色光出射光源，青色光出射光源であることを特徴とする請求項１または２記載の光源ユニット。
【請求項４】
前記光源が発光ダイオードであることを特徴とする請求項１〜３いずれか１項記載の光源ユニット。
【請求項５】
光源により照明した読取対象からの反射光を結像レンズで撮像素子に結像させ、前記読取対象を一次元に読み取る読取装置において、前記光源として請求項１〜４いずれか１項記載の光源ユニットを設置したことを特徴とする読取装置。
【請求項６】
光源により照明した読取対象からの反射光を結像レンズで撮像素子に結像させ、前記読取対象を一次元に読み取る読取装置において、前記光源として請求項１〜４いずれか１項記載の光源ユニットを複数個設置したことを特徴とする読取装置。
【請求項７】
前記光源ユニットと前記結像レンズと前記撮像素子とを装置本体に一体に装着したことを特徴とする請求項５または６記載の読取装置。
【請求項８】
請求項１〜４いずれか１項記載の光源ユニット、あるいは該光源ユニットを複数個備えてなる照明ユニットを、光出射側が同方向を向くように相対向して複数設置したことを特徴とする請求項５〜７いずれか１項記載の読取装置。
【請求項９】
前記照明ユニットの光源ユニットにおける光源の数を各光源ユニットにおいて適宜異ならせることを特徴とする請求項８記載の読取装置。
【請求項１０】
前記照明ユニットの光源ユニットに対する供給電力を適宜不均一にすることを特徴とする請求項８記載の読取装置。
【請求項１１】
装置本体に蓋体を設け、該蓋体にて前記光源ユニットあるいは前記照明ユニットを保持したことを特徴とする請求項５〜１０いずれか１項記載の読取装置。
【請求項１２】
前記装置本体と前記蓋体とを係脱可能に係合したことを特徴とする請求項１１記載の読取装置。
【請求項１３】
前記装置本体に設置された撮像素子と光学系とからなる読取光学系設置部に、前記蓋体の係止部を設けたことを特徴とする請求項１１または１２記載の読取装置。
【請求項１４】
前記読取光学系設置部と前記蓋体とにより前記光源ユニットあるいは前記照明ユニットを挟持固定したことを特徴とする請求項１１〜１３いずれか１項記載の読取装置。
【請求項１５】
光源により照明した原稿からの反射光を結像レンズで撮像素子に結像させ、前記原稿の画像を一次元に読み取り、これを走査することによって２次元の画像を読み取る原稿読取部を備えた画像読取装置において、前記原稿読取部として請求項５〜１４いずれか１項記載の読取装置を搭載し、該読取装置を副走査方向に走行させて２次元の画像を読み取ることを特徴とした画像読取装置。
【請求項１６】
光源により照明した原稿からの反射光を結像レンズで撮像素子に結像させ、前記原稿の画像を一次元に読み取り、これを走査することによって２次元の画像を読み取る原稿画像読取部と、該原稿画像読取部からの画像情報を受けて記録媒体に対して画像を形成する画像形成部とを備えた画像形成装置において、前記原稿画像読取部として請求項１５記載の原稿読取装置を搭載したことを特徴とする画像形成装置。
【発明の詳細な説明】
【技術分野】
【０００１】
本発明は、光源から出射した光を導光部材を通して被照明面を照射する光源ユニットに係り、該光源ユニットを構成の一部とする読取装置および画像読取装置ならびに画像形成装置に関するものである。
【背景技術】
【０００２】
近年、発光ダイオード（Light Emitting Diode：以下、ＬＥＤと称す）の開発が活発に行われており、ＬＥＤ素子の開発は進歩し、その明るさは急激に高まっている。ＬＥＤは、一般的に長寿命、高効率、高耐Ｇ性、単色発光などの利点を有しており、多くの照明分野への応用が期待されている。その用途の一つとして、デジタル複写機やイメージスキャナーのような画像読取装置の原稿照明装置がある。
【０００３】
原稿照明装置の一例として、光源から出射された光を、効率よくかつ均一に、原稿面に導くことができるプリズムなどからなる導光板を使用するものがある（特許文献１〜３参照）。
【０００４】
図１２は従来の導光板を用いた光源ユニットの基本構成図であり、１は照明対象である原稿が載置されるコンタクトガラス、２，３，４は赤色（Ｒ），緑色（Ｇ），青色（Ｂ）の３原色ＬＥＤ、５，６，７は各ＬＥＤ２，３，４に配置された反射板、８はＬＥＤ２，３，４の設置側からコンタクトガラス１方向へ向って拡がるような形状をなす板状の光学材からなる導光板である。
【０００５】
図１２において、Ｒ，Ｇ，ＢのＬＥＤ２，３，４は、原稿面であるコンタクトガラス１側とは反対方向に出射面を向けて主走査方向に横並びに配置され、各ＬＥＤ２，３，４にドーム状の反射板５，６，７が設けられている。
【０００６】
各ＬＥＤ２，３，４から出射した光束Ｌａ，Ｌｂ，Ｌｃは、反射板５，６，７にてコンタクトガラス１側へ反射される。コンタクトガラス１とＬＥＤ２，３，４との間には、導光板８が配置されているため、光束Ｌａ，Ｌｂ，Ｌｃは、導光板８の内部を通って導かれてコンタクトガラス１上の原稿面に達する。
【特許文献１】特開２００５−２２９６４７号公報
【特許文献２】特開２００５−２５２６４６号公報
【特許文献３】特開２００６−６７５５１号公報
【発明の開示】
【発明が解決しようとする課題】
【０００７】
しかし、前記従来技術において、各ＬＥＤ２，３，４は、横並びに配置されているため、各ＬＥＤ２，３，４に対応する原稿面での照射領域は、図１２に示すように、各ＬＥＤ２，３，４の配列間隔（ピッチ）で主走査方向にＲ，Ｂ，Ｇの各色でずれてしまい、照明むらを生じさせる原因となっていた。
【０００８】
前記原稿照明装置が搭載される安価なファクシミリ装置の画像読取装置では、データを白黒で２値化する処理を行うため大きな問題とはならないが、高精度の白黒データを取り込む画像読取装置やカラースキャナなどでは、濃度むらや色むらとなって良好な画像データが得られないという不具合を生じていた。
【０００９】
また、特許文献１〜３には、この種の原稿照明装置における各種課題を解決する発明が記載されている。
【００１０】
特許文献１には、導光体の一端面に発光源を備えた照明ユニットの構成が記載されているが、照明光量が不足して鮮明な読取画像が得られないという課題がある。
【００１１】
特許文献２には、Ｒ，Ｇ，Ｂの各色ＬＥＤと導光板を用いる照明ユニットを主走査方向に連結して配置する照明装置の構成が記載されているが、ＬＥＤの配置間隔により照明領域内に色むらが発生し、良好な読取画像が得られないという課題がある。
【００１２】
特許文献３には、ＬＥＤを主走査方向に並べ、導光板としてＬＥＤアレイの長さ分だけの長さを有するものを用いて、原稿面を照明する照明装置の構成が記載されているが、主走査方向に長い導光板が必要となるため、コストアップになるという課題がある。
【００１３】
本発明の目的は、前記従来の技術の課題を解決し、濃度むらや色むらのない照明や読み取りを可能にし、良好な画像読取あるいは画像形成に寄与する光源ユニット，読取装置，画像読取装置，画像形成装置を提供することを目的とする。
【課題を解決するための手段】
【００１４】
前記目的を達成するため、請求項１に記載の発明は、複数の光源から出射した光を導光部材内を通して導くことにより被照明面を照射する光源ユニットにおいて、前記導光部材に、前記各出射光が被照射面上にて重畳して照射するように、前記各光源の光出射部ごとにそれぞれ対応する異なる光入射面を形成したことを特徴とし、この構成によって、複雑な光学系を設けることなく、導光部材により光源の出射光が被照射面上で重合することができるため、出射光にて効率よくかつ均一なる照明ができると共に、従来の光源ユニットに比して、濃度むらあるいは色むらのない照明が可能になる。
【００１５】
請求項２に記載の発明は、請求項１記載の光源ユニットにおいて、導光部材の各光入射面が互いに角度をもって形成されていることを特徴とし、この構成によって、導光部材の光偏向作用により出射光の重合が良好に行われる。
【００１６】
請求項３に記載の発明は、請求項１または２記載の光源ユニットにおいて、複数の光源が、赤色光出射光源，緑色光出射光源，青色光出射光源であることを特徴とし、この構成によって、Ｒ，Ｇ，Ｂ光の重合により色むらのない白色照明が行える。
【００１７】
請求項４に記載の発明は、請求項１〜３いずれか１項記載の光源ユニットにおいて、光源が発光ダイオードであることを特徴とする。
【００１８】
請求項５に記載の発明は、光源により照明した読取対象からの反射光を結像レンズで撮像素子に結像させ、前記読取対象を一次元に読み取る読取装置において、前記光源として請求項１〜４いずれか１項記載の光源ユニットを設置したことを特徴とし、濃度むらあるいは色むらのない光源ユニットを用いることにより、安定した良好な読み取りを行うことができる。
【００１９】
請求項６に記載の発明は、光源により照明した読取対象からの反射光を結像レンズで撮像素子に結像させ、前記読取対象を一次元に読み取る読取装置において、前記光源として請求項１〜４いずれか１項記載の光源ユニットを複数個設置したことを特徴とし、この構成によって、濃度むらあるいは色むらのない複数の光源ユニットを用いることにより、より多くの光量にて、より安定した良好な読み取りを行うことができる。
【００２０】
請求項７に記載の発明は、請求項５または６記載の読取装置において、光源ユニットと結像レンズと撮像素子とを装置本体に一体に装着したことを特徴とし、この構成によって、関連構造および組立を簡易にすることができる。
【００２１】
請求項８に記載の発明は、請求項５〜７いずれか１項記載の読取装置において、請求項１〜４いずれか１項記載の光源ユニット、あるいは該光源ユニットを複数個備えてなる照明ユニットを、光出射側が同方向を向くように相対向して複数設置したことを特徴とし、この構成によって、読取対象の状態によらず読取面を略均一に照明することができ、原稿の影映りなどの不具合の発生を防ぐことができる。
【００２２】
請求項９に記載の発明は、請求項８記載の読取装置において、照明ユニットの光源ユニットにおける光源の数を各光源ユニットにおいて適宜異ならせることを特徴とし、この構成によって、部位による発光量を調整して、結像レンズにおける開口角と周辺減光の関係を示すｃｏｓ４乗則による周辺減光、すなわちレンズ周辺の光量不足を解消させることが可能になる。
【００２３】
請求項１０に記載の発明は、請求項８記載の読取装置において、照明ユニットの光源ユニットに対する供給電力を適宜不均一にすることを特徴とし、この構成によって、部位による発光量を調整して、結像レンズにおける開口角と周辺減光の関係を示すｃｏｓ４乗則による周辺減光、すなわちレンズ周辺の光量不足を解消させることが可能になる。
【００２４】
請求項１１に記載の発明は、請求項５〜１０いずれか１項記載の読取装置において、装置本体に蓋体を設け、該蓋体にて光源ユニットあるいは照明ユニットを保持したことを特徴とし、この構成によって、装置本体における構成部材の熱源と、光源ユニットあるいは照明ユニットとの距離を確保することができ、熱的ストレス発生を未然に防止することができる。
【００２５】
請求項１２に記載の発明は、請求項１１記載の読取装置において、装置本体と蓋体とを係脱可能に係合したことを特徴とし、この構成によって、固定用ねじなどを用いずに、容易かつ簡単に組立および分解が行える。
【００２６】
請求項１３に記載の発明は、請求項１１または１２記載の読取装置において、装置本体に設置された撮像素子と光学系とからなる読取光学系設置部に、蓋体の係止部を設けたことを特徴とし、簡易な構造で組立および分解が可能になり、部品点数の削減，コストダウンを図ることができる。
【００２７】
請求項１４に記載の発明は、請求項１１〜１３いずれか１項記載の読取装置において、読取光学系設置部と蓋体とにより光源ユニットあるいは照明ユニットを挟持固定したことを特徴とし、この構成によって、読取光学系設置部と光源ユニットあるいは照明ユニットとを近接させ、より簡易な固定構造となり、さらなる部品点数の削減，コストダウンを図ることができる。
【００２８】
請求項１５に記載の発明は、光源により照明した原稿からの反射光を結像レンズで撮像素子に結像させ、前記原稿の画像を一次元に読み取り、これを走査することによって２次元の画像を読み取る原稿読取部を備えた画像読取装置において、前記原稿読取部として請求項５〜１４いずれか１項記載の読取装置を搭載し、該読取装置を副走査方向に走行させて２次元の画像を読み取ることを特徴とし、この構成によって、良好な２次元の画像の読み取りが可能になり、濃度むらあるいは色むらのないカラー画像の読み取りが行える。
【００２９】
請求項１６に記載の発明は、光源により照明した原稿からの反射光を結像レンズで撮像素子に結像させ、前記原稿の画像を一次元に読み取り、これを走査することによって２次元の画像を読み取る原稿画像読取部と、該原稿画像読取部からの画像情報を受けて記録媒体に対して画像を形成する画像形成部とを備えた画像形成装置において、前記原稿画像読取部として請求項１５記載の画像読取装置を搭載したことを特徴とし、この構成によって、良好な画像形成が可能になり、濃度むらあるいは色むらのないカラー画像を形成することができる。
【発明の効果】
【００３０】
本発明に係る光源ユニットによれば、複雑な光学系を設けることなく、導光部材によって光源の出射光が被照射面上で重合することにより、効率よくかつ均一なる出射光による照明が行えると共に、従来の光源ユニットに比して、濃度むらあるいは色むらのない照明が可能になる。
【００３１】
また、本発明に係る光源ユニットを用いた読取装置によれば、特にカラー画像に対応した安定して良好な読み取りを行うことができる。
【００３２】
また、本発明に係る光源ユニット，読取装置を用いた画像読取装置，画像形成装置によれば、良好な画像の読み取りや画像形成ができるため、濃度むらあるいは色むらのないカラー画像の読み取りや画像形成を行うことができる。
【発明を実施するための最良の形態】
【００３３】
以下、本発明の実施の形態を図面に基づいて説明する。
【００３４】
図１は本発明に係る画像形成装置の実施形態であるカラー画像形成装置の概略構成図であって、１００は画像形成部、２００は給紙部、３００は画像読取部、４００は原稿給紙部である。
【００３５】
画像形成部１００には、Ｒ，Ｇ，Ｂの各色と黒色（Ｂｋ）に対応したトナー像が形成される感光体１０１ａ，１０１ｂ，１０１ｃ，１０１ｄと、各感光体１０１ａ〜１０１ｄの周囲にそれぞれ配設される帯電部１０２，露光部１０３，トナー現像部１０４，クリーニング部１０５からなる公知の電子写真方式の画像形成プロセス１０６と、各感光体１０１ａ〜１０１ｄに各中間転写部１０７で接して各色のトナー像が転写され、表面にカラートナー画像が形成される中間転写ベルト１０８と、レジストローラ１０９にて搬送される記録媒体としての用紙に対して中間転写ベルト１０８表面のカラートナー画像を転写する転写部１１０が設置されている。
【００３６】
さらに、転写部１１０でカラートナー画像が転写された用紙は、搬送ベルト１１１により定着部１１２へ送られ、トナー画像の定着処理が行われ、その後、排紙ローラ１１３にて装置外の排紙トレイ１１４へ排出される。
【００３７】
また、定着部１１２近傍には、一面に画像が形成された用紙の他面にも画像を形成するため、用紙を反転してレジストローラ１０９に再度搬送するための搬送路切替爪１１５および用紙反転装置１１６が設置されている。
【００３８】
給紙部２００には、用紙Ｐが収納されている複数の給紙カセット２０１と、使用が選択された用紙Ｐが収納されている給紙カセット２０１から前記レジストローラ１０９へ用紙Ｐを搬送する搬送ローラ２０２，搬送ガイド２０３などが設置されている。
【００３９】
画像読取部３００には、後述する本願発明に係る光源ユニット，原稿読取ユニットなどが搭載されており、原稿給紙部４００下部のコンタクトガラス４０１に載置された原稿、あるいはコンタクトガラス４０１上を移動する原稿を読取対象として光照射し、その反射光を結像レンズで撮像素子に結像させ、光電変換させて読取対象の画像データを読み取る。そして、画像読取部３００では原稿読取ユニットが、図示しない駆動装置によって所定の速度で横方向（副走査方向）に走査され、原稿の２次元画像を読み取ることができる構成になっている。
【００４０】
原稿給紙部４００には、原稿載置台４０２と原稿排出トレイ４０３と原稿搬送ローラ４０４が設置され、原稿搬送ローラ４０４により原稿を、原稿載置台４０２からコンタクトガラス４０１上を通して原稿排出トレイ４０３へと搬送する構成になっている。
【００４１】
図２は本発明に係る光源ユニットの実施形態１を説明するための概略構成図である。
【００４２】
図２の光源ユニット１０において、１１は照明対象である原稿が載置されるコンタクトガラス、１２，１３，１４は、コンタクトガラス１１側とは反対方向に出射面を向け、かつ主走査方向に横並びに配置された光源である赤色（Ｒ），緑色（Ｇ），青色（Ｂ）の３原色ＬＥＤ、１５，１６，１７は各ＬＥＤ１２，１３，１４に対応して配置された曲面状の反射板、１８は、ＬＥＤ１２，１３，１４の設置側からコンタクトガラス１１方向へ向って拡がるような形状をなす板状の光学材からなる導光部材としての導光板である。
【００４３】
前記導光板１８には、各ＬＥＤ１２，１３，１４から出射し、反射板１５，１６，１７にて反射された光束（光軸のみを示す）１２ａ，１３ａ，１４ａが導光板１８内部を通って導かれて、コンタクトガラス１１の表面上における被照射面としての原稿面に集光して重畳するように、各ＬＥＤ１２，１３，１４の光出射部ごとにそれぞれ対応する複数の光入射面１８ａ，１８ｂ，１８ｃが、隣接するものどうし互いに角度を持って形成されている。
【００４４】
図２に示すように、各ＬＥＤ１２，１３，１４に対応する導光板１８の光入射面１８ａ，１８ｂ，１８ｃにおいて、真中に配置された緑色ＬＥＤ１３の発光面に対して平行に光入射面１８ｂが形成され、実線に示す光軸１３ａにて原稿面に達する。赤色ＬＥＤ１２に対応する光入射面１８ａは図示したように角度を持って傾斜しており、一点鎖線に示す光軸１２ａにて原稿面に達する。青色ＬＥＤ１４に対応する光入射面１８ｃは、赤色ＬＥＤ１２に対応する光入射面１８ａと略対称になるように傾斜しており、破線に示す光軸１４ａにて原稿面に達するような構成になっている。
【００４５】
この構成において、各ＬＥＤ１２，１３，１４の出射光は、互いに他のＬＥＤの光入射面には到達せず、各ＬＥＤ１２，１３，１４と導光板１８の光入射面１８ａ，１８ｂ，１８ｃとは、１対１の関係を保つようになっており混色することはない。
【００４６】
各光入射面１８ａ，１８ｂ，１８ｃの傾斜角度は、設計レベルのパラメータ、例えば、コンタクトガラス１１の表面（原稿面）までの距離や、曲面状の反射板１５，１６，１７の形状などに基づいて最適に設定することができる。
【００４７】
例えば、図３の説明図に示す光入射面１８ａと１８ｂ、および光入射面１８ｂと１８ｃにおける各傾斜角度θは、プリズムなどの光学材料からなる導光板１８の屈折率ｎと、各ＬＥＤ間の距離Ｘと、各ＬＥＤとコンタクトガラス表面との距離Ｙとの関係において次式を満たす。
ｓｉｎθ＝ｎ・ｓｉｎΦ
Ｙ＝（Ｘ・ｔａｎθ）／２ ＋ Ｘ／（ｔａｎ（θ−Φ））
ただし、ΦはＬＥＤの導光板１８への入射光と、光入射面に対する垂線とがなす角度である。
【００４８】
また、反射板１５，１６，１７としては、例えば、略放物曲面を有する反射鏡が用いられる。
【００４９】
前記構成の本実施形態の光源ユニットによって、原稿面での各色ＬＥＤ１２，１３，１４の照射領域を一致させることができ、ＲＧＢ光が重畳（重ね合わせ）されることになるため、導光板１８を用いたことによる作用効果、すなわち、出射光にて効率よくかつ均一なる照明ができるようになると共に、濃度むら，色むらのない白色照明が実現することになる。
【００５０】
図４は図２に示す光源ユニットを搭載した本発明に係る読取装置の実施形態１を示す概略構成図である。
【００５１】
前記構成の光源ユニット１０は、導光板１８の出射面部分２０が角度を有して副走査方向に傾斜しており、出射面部分２０から出射した照明光Ｌａが、導光板１８の出射面部分２０に導かれてコンタクトガラス１１上の読取領域を均一に照明するようになっている。
【００５２】
読取領域からの反射光Ｌｂは、第１ミラー２２で反射した後、第２と第３のミラー２１，２３で２度ずつ反射され、結像レンズ２４によって撮像素子であるＣＣＤ２５に結像され１次元の画像読み取りが行われる。ＣＣＤ２５は、ＲＧＢ各色に対応した３ラインＣＣＤであって、カラー画像の読み取りを行うことができる。これにより色むらのないカラー画像を読み取ることができる。
【００５３】
図５は本発明に係る光源ユニットの実施形態２を説明するための概略構成図である。
【００５４】
図５において、光源ユニット１０を主走査方向に複数個（本例では３個）を並べて設け、主走査方向の照明幅を任意に確保することができる照明ユニット２７としての構成である。この照明ユニット２７では、各光源ユニット１０による照明が均一であるため、複数個を並べるように連結しても全原稿面において均一照明が実現できる。
【００５５】
また、必要照明範囲（主走査方向の長さ）に応じて連結する光源ユニット１０の個数を調整することができる。例えば、Ａ４サイズ用の読取装置であるスキャナには３個連結し、またＡ３サイズ用のスキャナには４個連結するようにすることにより、各種仕様の照明ユニットを設計することができる。
【００５６】
図６は本発明に係る読取装置の実施形態２を示す概略構成図である。
【００５７】
図６の読取装置の実施形態２が図３の実施形態１と異なるところは、両側照明構成になっている点であって、光源ユニット１０あるいは照明ユニット２７を、読取光軸の両側に対向させ、光出射側が同方向を向くように複数設置している。このように、光源ユニット１０あるいは照明ユニット２７を配置することによって、読取光軸の両側から照明光が原稿に対して照射されることになるため、読取対象の状態によらず読取面を略均一に照明することができ、切り貼り原稿の影映りを防止したり、原稿の綴じ部の影映りを緩和したりすることができる。
【００５８】
図７は本発明に係る読取装置の実施形態３を示す概略構成図である。
【００５９】
図７に示すように、本読取装置では不均等照明の構成にしたものであり、複数に分割（本例では３分割）した光源群（光源ユニット）の構成例を示しており、３個のＬＥＤからなる光源ユニット１０を中央に設置し、その両側に６個のＬＥＤからなる照明ユニット２７を設置し、全部で３個の光源群で構成されている。
【００６０】
このように中央の光源ユニット１０におけるＬＥＤの数を、側部の照明ユニット２７におけるＬＥＤよりも少なく設置することにより、原稿面照度は図８に示すように、主走査方向に中央部分が暗い照明分布になる。これにより、結像レンズ２４における周辺減光の原因としてのｃｏｓ４乗則の周辺光量不足が解消される。
【００６１】
また、同様の効果を各光源ユニット１０あるいは照明ユニット２７に対する供給電力を変化させる（例えば３ユニットを設置する場合には、中央のユニットに対する電力を他のユニットに対して減少させる）ことによっても実現できる。この場合、複数の光源ユニット１０あるいは照明ユニット２７は同じ構成のものを使用することができるというメリットがある。
【００６２】
図９は前記実施形態の読取装置における装置本体の構造例１を示す断面図である。
【００６３】
図９において、読取装置の装置本体２８は、下部筺体２９と上部蓋体３０とからなり、下部筺体２９の上部開口を上部蓋体３０が覆うように、下部筺体２９に上部蓋体３０が着脱可能に載置されており、上部蓋体３０内に前記光源ユニット１０あるいは照明ユニット２７が固定され、上部蓋体３０の上壁に出射光Ｌがコンタクトガラス１１方向へ向うように光出射窓３１が形成されている。
【００６４】
このように、光源ユニット１０あるいは照明ユニット２７を上部蓋体３０に設けたことにより、下部筺体２９に設置されている熱源となるＣＣＤ２５の駆動回路などが搭載されている基板から距離をとって、光源ユニット１０あるいは照明ユニット２７の読取光路を配置することができる。
【００６５】
この構成は、原稿読み取りにおける画像品質劣化、例えば、フレア光における画像ノイズ対策として有効である。さらに、装置内部の上面側に光源を配置することにより熱源に対する距離を確保することができ、光源およびＣＣＤ基板共に熱的ストレスの緩和が可能になり、装置本体２８の上部蓋体３０を搭載配置させることで、組立工数を簡略化する上でも有利である。
【００６６】
図１０は前記実施形態の読取装置における装置本体の構造例２を示す斜視図であり、基本的には前記構造例１と構成は同じであるが、上部蓋体３０と装置本体２８との接合部分におけるいずれか一方に係止部である嵌合孔３２を設け、他方に嵌合孔３２に係止する係止部である係止フック３３を設け、上部蓋体３０と装置本体２８とを係脱可能に係合させた点が異なる。
【００６７】
この構成により、組立が簡便となり組立工数が削減できる。また、固定用ねじを使わないので部品点数削減とユニットのコストダウンを図ることができる。
【００６８】
図１１は前記実施形態の読取装置における装置本体の構造例３を示す断面図である。
【００６９】
図１１において、読取装置の装置本体２８は、下部筺体２９と上部蓋体３０とからなり、前記光源ユニット１０あるいは照明ユニット２７の側部に設けた複数の係止凸部３４を、下部筺体２９の上部開口の上側部２９ａに載置し、さらに下部筺体２９の上部開口を上部蓋体３０が覆うようにして、下部筺体２９に上部蓋体３０を着脱可能に載置することにより、係止凸部３４が下部筺体２９と上部蓋体３０とによって挟持されるようにしている。これにより、前記装置本体２８内部に光源ユニット１０あるいは照明ユニット２７が係脱可能に固定される。
【００７０】
このような構成にすることにより、装置本体２８に対する光源ユニット１０あるいは照明ユニット２７の取り付け、分解などが容易になり、また、光源ユニット１０あるいは照明ユニット２７が読取照明光である出射光Ｌのフレア防止部材として機能し、読取画像品質を向上させることができる。
【００７１】
本実施形態では、光源により照明した原稿からの反射光を結像レンズで撮像素子に結像させ、前記原稿の画像を一次元に読み取り、これを走査することによって２次元の画像を読み取る原稿読取部を備えた画像読取装置、および該画像読取装置を搭載した図１に示すようなカラー画像形成装置の適所に、前記構成の光源ユニット，照明ユニット、あるいは読取装置を用いることにより、良好な２次元の画像の読み取りが可能になり、濃度むらあるいは色むらのないカラー画像の読み取りが行える。
【産業上の利用可能性】
【００７２】
本発明は、複数の光源から出射した光を導光部材内を通して導くことにより被照明面を照射する光源ユニットに適用され、特に、デジタル複写機，イメージスキャナー，デジタル写真装置，ファクシミリ装置など読取装置に使用される照明装置に用いて有効である。
【図面の簡単な説明】
【００７３】
【図１】本発明に係る画像形成装置の実施形態であるカラー画像形成装置の概略構成図
【図２】本発明に係る光源ユニットの実施形態１を説明するための概略構成図
【図３】本実施形態における導光板の光入射面の傾斜角度を設定する式を説明するための説明図
【図４】図２に示す光源ユニットを搭載した本発明に係る読取装置の実施形態１を示す概略構成図
【図５】本発明に係る光源ユニットの実施形態２を説明するための概略構成図
【図６】本発明に係る読取装置の実施形態２を示す概略構成図
【図７】本発明に係る読取装置の実施形態３を示す概略構成図
【図８】実施形態３における原稿面の照度を示す説明図
【図９】本実施形態の読取装置における装置本体の構造例１を示す断面図
【図１０】本実施形態の読取装置における装置本体の構造例２を示す斜視図
【図１１】本実施形態の読取装置における装置本体の構造例３を示す斜視図
【図１２】従来の導光板を用いた光源ユニットの基本構成図
【符号の説明】
【００７４】
１０  光源ユニット
１１  コンタクトガラス
１２，１３，１４  ＬＥＤ
１５，１６，１７  反射板
１８  導光板
１８ａ，１８ｂ，１８ｃ  光入射面
２０  出射面部分
２１，２２，２３  ミラー
２４  結像レンズ
２５  ＣＣＤ
２７  照明ユニット
２８  装置本体
２９  下部筺体
３０  上部蓋体
３１  光出射窓
３２  嵌合孔
３３  係止フック
３４  係止凸部
３００  画像読取部
【図１】
2008116527.tif 000003
【図２】
2008116527.tif 000004
【図３】
2008116527.tif 000005
【図４】
2008116527.tif 000006
【図５】
2008116527.tif 000007
【図６】
2008116527.tif 000008
【図７】
2008116527.tif 000009
【図８】
2008116527.tif 000010
【図９】
2008116527.tif 000011
【図１０】
2008116527.tif 000012
【図１１】
2008116527.tif 000013
【図１２】
2008116527.tif 000014